(57)【要約】【課題】エレベータの周囲の環境情報を活用し、利用者の利便性を高める。【解決手段】エレベータ３００の位置情報に基づいて、通信装置２１０を介して取得した環境情報の中から、当該エレベータ３００が設置されている建物の周囲の環境情報を周囲情報３５０として抽出して当該エレベータ３００に送信し、周囲情報３５０が、エレベータが設置されている建物の周囲の交通に影響を与え、かつ、予め定めた基準階方向への走行の指示を受け付けた場合、周囲情報３５０および注意喚起情報３７０をかご内ディスプレイ３２３に出力する。【選択図】図１４
2019199340.tif 000002
【特許請求の範囲】
【請求項１】
エレベータの利用者に、当該エレベータが設置されている建物の周囲の環境情報を提供するエレベータの周囲環境情報提供方法であって、
前記エレベータの位置情報に基づいて、通信装置を介して取得した前記環境情報の中から、当該エレベータが設置されている前記建物の周囲の前記環境情報を周囲情報として抽出して当該エレベータに送信し、
前記周囲情報が、前記建物の周囲の交通に影響を与え、かつ、予め定めた基準階方向への走行の指示を受け付けた場合、当該周囲情報および注意喚起情報をのりかご内のディスプレイに出力すること
を特徴とするエレベータの周囲環境情報提供方法。
【請求項２】
請求項１記載のエレベータの周囲環境情報提供方法であって、
前記環境情報は、所定の時間間隔で更新される、予め定めた観測メッシュを単位とする、現在から予め定めた将来時期までの気象情報であり、
前記周囲情報は、前記エレベータの位置情報で特定される位置が含まれる前記観測メッシュを中心とする複数の前記観測メッシュで構成される観測範囲内の前記環境情報であり、
前記周囲情報に、所定の自然災害の兆候が含まれる場合、前記建物の周囲の交通に影響を与えると判断されること
を特徴とするエレベータの周囲環境情報提供方法。
【請求項３】
請求項２記載のエレベータの周囲環境情報提供方法であって、
前記自然災害の兆候は、雷発生であること
を特徴とするエレベータの周囲環境情報提供方法。
【請求項４】
請求項３記載のエレベータの周囲環境情報提供方法であって、
前記雷の激しさに応じて異なる前記注意喚起情報を出力すること
を特徴とするエレベータの周囲環境情報提供方法。
【請求項５】
請求項１記載のエレベータの周囲環境情報提供方法であって、
乗りかご内の行先指示ボタンにより前記基準階への走行が指示された場合、前記基準階方向への走行の指示を受け付けたと判断されること
を特徴とするエレベータの周囲環境情報提供方法。
【請求項６】
請求項１記載のエレベータの周囲環境情報提供方法であって、
前記基準階方向への走行の指示は、ホールボタンによりなされること
を特徴とするエレベータの周囲環境情報提供方法。
【請求項７】
請求項６記載のエレベータの周囲環境情報提供方法であって、
前記基準階方向への走行の指示を行ったホールのディスプレイにも、さらに前記周囲情報を出力すること
を特徴とするエレベータの周囲環境情報提供方法。
【請求項８】
請求項１記載のエレベータの周囲環境情報提供方法であって、
前記環境情報は、前記エレベータの位置情報で特定される位置を含む、予め定めた範囲の交通情報であり、
前記周囲情報は、予め定めた路線および道路の渋滞情報であること
を特徴とするエレベータの周囲環境情報提供方法。
【請求項９】
エレベータの利用者に、前記エレベータが設置されている建物の周囲の交通に影響を与える環境情報を提供するエレベータの周囲環境情報提供システムであって、
環境情報を取得し、監視対象のエレベータ毎に、当該エレベータが設置されている建物の周囲の前記環境情報を、周囲情報として抽出して当該エレベータに送信する監視サーバと、
前記周囲情報が前記建物の交通に影響を与え、かつ、予め定めた基準階方向への走行の指示を受け付けた場合、当該周囲情報および注意喚起情報をのりかご内のディスプレイに出力するエレベータ制御装置と、を備えること
を特徴とするエレベータの周囲環境情報提供システム。
【発明の詳細な説明】
【技術分野】
【０００１】
本発明は、エレベータ周囲の情報をエレベータの利用者に提供する技術に関し、特に、エレベータが設置されている建物の周囲の交通に影響を与える情報を選択的に提供する技術に関する。
【背景技術】
【０００２】
気象情報のようなエレベータ周囲の環境情報がエレベータの運行管制に用いられている。例えば、特許文献１には、「気象に関する情報を検出する気象情報検出装置を設ける。エレベータ制御装置は気象情報検出装置によって検出される気象情報に基づいて気象変化による乗りかごへの直接的な影響を回避する管制運転を行う。すなわち、例えば気象情報検出装置の雷検出装置により雷の接近を検出して、近傍に落雷の可能性がある場合には乗りかごを直撃雷の影響のない退避階へ退避させる（要約抜粋）。」エレベータ制御装置が開示されている。
【先行技術文献】
【特許文献】
【０００３】
【特許文献１】特開２００３−２６７６３６号公報
【発明の概要】
【発明が解決しようとする課題】
【０００４】
特許文献１に開示の技術によれば、周囲の環境情報により、利用者の安全を確保すると共に乗りかごの破損を防ぐことができる。しかしながら、取得した環境情報を運行管制にしか利用せず、利用者の利便性を高める用途にまでは活かして切れていない。
【０００５】
本発明は、上記事情に鑑みてなされたもので、エレベータの周囲の環境情報を活用し、利用者の利便性を高める技術を提供することを目的とする。
【課題を解決するための手段】
【０００６】
本発明は、エレベータの利用者に、当該エレベータが設置されている建物の周囲の環境情報を提供するエレベータの周囲環境情報提供方法であって、前記エレベータの位置情報に基づいて、通信装置を介して取得した前記環境情報の中から、当該エレベータが設置されている前記建物の周囲の前記環境情報を周囲情報として抽出して当該エレベータに送信し、前記周囲情報が、前記建物の周囲の交通に影響を与え、かつ、予め定めた基準階方向への走行の指示を受け付けた場合、当該周囲情報および注意喚起情報をのりかご内のディスプレイに出力することを特徴とする。
【０００７】
また、本発明は、エレベータの周囲の環境情報を活用し、利用者の利便性が高まる。上記した以外の課題、構成および効果は、以下の実施形態の説明により明らかにされる。
【図面の簡単な説明】
【０００８】
【図１】本発明の実施形態の周囲環境情報提供システムの全体構成図である。
【図２】（ａ）および（ｂ）は、本発明の実施形態の監視サーバの、それぞれ、機能ブロック図およびハードウェア構成図である。
【図３】本発明の実施形態の雷情報の一例を説明するための説明図である。
【図４】（ａ）〜（ｃ）は、本発明の実施形態の雷情報の一例を説明するための説明図である。
【図５】本発明の実施形態の地域時間帯情報の一例を説明するための説明図である。
【図６】（ａ）および（ｂ）は、本発明の実施形態の活動度マップ情報の一例を説明するための説明図である。
【図７】本発明の実施形態の雷の位置の算出手法を説明するための説明図である。
【図８】本発明の実施形態のエレベータ情報の一例を説明するための説明図である。
【図９】（ａ）〜（ｃ）は、本発明の実施形態の、監視サーバから各エレベータに配布される周囲情報の一例を説明するための説明図である。
【図１０】（ａ）、（ｂ）は、本発明の実施形態のエレベータの、ホール設備および乗りかごの構成を説明するための説明図であり、（ｃ）は、本発明の実施形態のエレベータ制御装置の機能ブロック図である。
【図１１】（ａ）および（ｂ）は、本発明の実施形態のパターン情報と注意喚起情報の一例をそれぞれ説明するための説明図である。
【図１２】本発明の実施形態の雷の方向算出手法を説明するための説明図である。
【図１３】本発明の実施形態の表示画面例を説明するための説明図である。
【図１４】本発明の実施形態のエレベータの周囲環境情報提供処理のフローチャートである。
【発明を実施するための形態】
【０００９】
以下、図面を参照しながら本発明の実施形態について説明する。以下、本明細書において、同一機能を有するものは、特に断らない限り、同一の符号を付し、繰り返しの説明は省略する。
【００１０】
本実施形態では、エレベータにおいて、予め定めた基準階方向への走行の指示を受けた場合、通信装置を介して受信したエレベータ周囲の環境情報の中から、エレベータが設置されている建物の周囲の交通に影響を与える情報を抽出し、乗りかご内のディスプレイに表示させる。
【００１１】
以下、本実施形態では、環境情報として、気象情報の内、雷の発生情報である雷情報を用いる場合を例にあげて説明する。雷情報は、監視センタにおいて、その更新タイミングに合わせて取得する。そして、監視センタにおいて加工を施し、監視センタが保守契約を結んでいる各エレベータに、その周囲の情報を選択的に提供する。
【００１２】
以下、これを実現する本実施形態の周囲環境情報提供システムについて説明する。
【００１３】
［周囲環境情報提供システム］
図１は、本実施形態の周囲環境情報提供システム１００の全体構成図である。本図に示すように、本実施形態の周囲環境情報提供システム１００は、監視サーバ２００と、エレベータ３００とを備える。ここでは、１つのエレベータ３００を示すが、エレベータ３００は複数であってもよい。
【００１４】
監視サーバ２００は、保守契約を行っているエレベータ３００の管理、および監視のために用意される情報処理装置であり、例えば、監視センタ等に設置される。以下、保守契約を行っているエレベータ３００を、監視対象エレベータ３００と呼ぶ。
【００１５】
また、監視サーバ２００は、インターネット等のネットワーク１１０を介して、例えば、Ｗｅｂサーバ４００といった外部の装置から、雷情報を取得して蓄積する。監視サーバ２００は、取得した雷情報を加工して、各監視対象エレベータ３００に必要な範囲の加工後の雷情報を、周囲情報としてネットワーク１１０を介して提供する。
【００１６】
なお、監視サーバ２００と各エレベータ３００とは、ネットワーク１１０とは別の、社内ＬＡＮといった専用のネットワークで接続されていてもよい。この場合、前述の雷情報は、この専用のネットワークを介して提供される。
【００１７】
エレベータ３００は、ビルディング等の建屋に設けられる。エレベータ３００は、監視サーバ２００から受信した雷情報を、必要に応じて、乗りかごおよび／またはホール（乗り場）のディスプレイに表示する。
【００１８】
エレベータ３００は、エレベータ制御装置３１０と、乗りかご３２０と、ホール設備３３０と、を備える。
【００１９】
エレベータ制御装置３１０は、乗りかご３２０を含むエレベータ３００全体の動作を制御する。ここでは、乗りかご３２０が１つの場合を例示するが、乗りかご３２０は、複数であってもよい。エレベータ制御装置３１０は、乗りかご３２０毎に設けられてもよいし、エレベータ３００に１つ設けられ、複数の乗りかごの運行および動作を制御してもよい。
【００２０】
なお、エレベータ３００を構成する主ロープ、釣合い錘、乗りかご、巻上機などについては、従前の構成と同様であるため、説明を省略する。
【００２１】
［監視サーバ］
監視サーバ２００について説明する。監視サーバ２００の機能ブロック図を、図２（ａ）に示す。監視サーバ２００は、サーバ通信部２１０と、サーバ制御部２２０と、サーバ記憶部２３０と、を備える。
【００２２】
サーバ通信部２１０は、ネットワーク１１０を介した通信を行う。
【００２３】
サーバ記憶部２３０は、監視サーバ２００において、処理に用いるデータ、処理途中で得られるデータ、処理されたデータ等を格納する。本図に示すように、雷情報２４０と、加工雷情報２５０と、エレベータ情報２８０とが格納される。加工雷情報２５０には、地域時間帯情報２６０と、活動度マップ情報２７０と、位置２７１とが含まれる。各情報の詳細は、後述する。
【００２４】
サーバ制御部２２０は、監視サーバ２００の全体の制御およびエレベータ３００の監視等を実現するため処理を行う。本図に示すように、サーバ制御部２２０は、雷情報取得部２２１と、雷情報加工部２２２と、雷情報配布部２２３と、を備える。
【００２５】
雷情報取得部２２１は、雷情報を保有するＷｅｂサーバ４００が、雷情報を更新するタイミングに合わせて、最新の雷情報をダウンロードし、雷情報２４０としてサーバ記憶部２３０に格納する。
【００２６】
雷情報２４０は、雷の激しさや雷発生の可能性を、予め定めた格子単位で解析して数値化した情報であり、所定の時間先までの予測も行う。この雷情報を保有するＷｅｂサーバ４００は、所定の時間間隔、例えば、１０分毎に、この雷情報を更新する。
【００２７】
以下、解析結果を数値化した情報を、活動度と呼ぶ。活動度は、その値が大きいほど、激しいものとする。例えば、０〜４の５段階で活動度を表す場合は、それぞれ、以下の通りである。活動度４は、「激しい雷」、すなわち、激しい雷が発生し、多数の落雷が発生している状況、活動度３は、「やや激しい雷」、すなわち、やや激しい雷および落雷が発生している状況、活動度２は、「雷あり」、すなわち、雷が発生し、電光が見えたり雷鳴が聞こえたりし、落雷の可能性が高くなっている状況、活動度１は、「雷発生の可能性あり」、すなわち、現在は発生していないが、雷発生の可能性がある状況、活動度０は、「雷なし」、すなわち、雷の発生の可能性がない状況を、それぞれ表す。
【００２８】
格納される雷情報２４０の一例を図３、図４（ａ）〜（ｃ）に示す。なお、本実施形態では、予め定めた単位の格子を観測メッシュと呼ぶ。
【００２９】
観測メッシュは、約１ｋｍ四方のサイズとし、緯度、経度で表すと、それぞれ、０．０１°幅とする。これらの図に示すように、ここでは、観測メッシュの中心の緯度（北緯）が３５．９８°から３６．０２°、経度（東経）が、１３９．９８°から１４０．０２°までの範囲の情報を受信する場合を示す。また、予測は、１０分毎に７０分後まで行うものとする。さらに、雷情報２４０は、１０分毎に提供されるものとする。また、雷情報の予測日時（現在日時）は、１０月１０日１４時とする。
【００３０】
各観測メッシュには、観測メッシュを一意に特定する観測メッシュ番号が付与される。ここでは、図４（ａ）に示すように、００１から０２５までの値が付与される。
【００３１】
図４（ｂ）、図４（ｃ）に示すように、雷情報２４０には、観測メッシュ毎に、観測メッシュ情報２４０ｍが格納される。観測メッシュ情報には、雷情報を作成した日時である予測日時２４１と、観測メッシュの中心位置情報（北緯、東経）２４２と、現在から予め定めた将来時期までの活動度２４３と、観測メッシュ番号２４４とが含まれる。ここでは、現在日時から１０分毎の７０分後までの活動度２４３が含まれる場合を例示する。
【００３２】
雷情報加工部２２２は、新たな雷情報２４０がサーバ記憶部２３０に格納される毎に、新たに格納された雷情報２４０を加工し、加工雷情報２５０を生成する。本実施形態では、加工雷情報２５０として、上述のように、地域時間帯情報２６０と、活動度マップ情報２７０と、位置２５１と、を生成する。
【００３３】
地域時間帯情報２６０は、雷情報２４０の観測メッシュ毎に、「雷」および「激しい雷」が発生する可能性が高いと予測される時間帯を格納した情報である。
【００３４】
図５に示すように、地域時間帯情報２６０は、観測メッシュ番号（Ｎｏ．）２６１と、その観測メッシュの中心位置情報（北緯２６２、東経２６３）と、発生時間帯２６４と、が対応づけられた情報である。
【００３５】
雷情報加工部２２２は、雷情報２４０の各観測メッシュ情報２４０ｍから同名の項目を抽出し、それぞれ、観測メッシュ番号２６１、中心位置情報（北緯２６２、東経２６３）に格納する。
【００３６】
雷情報加工部２２２は、雷情報２４０から、所定以上の値が活動度２４３に登録されている時間帯を抽出し、発生時間帯２６４に格納する。
【００３７】
本実施形態では、例えば、活動度２４３が２以上の時間帯を「雷」が、活動度が３以上の時間帯を「激しい雷」が、それぞれ発生し易い時間帯として抽出し、発生時間帯２６４に登録する。
【００３８】
図５に示すように、例えば、中心の緯度情報が北緯３５．９８°、中心の経度情報が東経１３９．９８°の観測メッシュ００１では、観測メッシュ情報２４０ｍの、時間帯毎の活動度２４３は、以下の通りである。１４時００分から１０分までの間は４、１０〜２０分後は４、２０〜３０分後は２、３０〜４０分後は２、４０〜５０分後は１、５０〜６０分後は０、６０〜７０分後は０、である。
【００３９】
１４時００分から１４時４０分までの時間帯の活動度が２以上であるため、雷情報加工部２２２は、この時間帯を発生時間帯２６４の「雷」に登録する。また、１４時００分から１４時２０分までの時間帯の活動度が３以上であるため、雷情報加工部２２２は、この時間帯を発生時間帯２６４の「激しい雷」に登録する。
【００４０】
活動度マップ情報２７０は、雷情報２４０の活動度を、時間帯毎にマップ化した情報である。
【００４１】
雷情報加工部２２２は、同時間帯の各観測メッシュの活動度を、図６（ａ）に示すように配置し、活動度マップ情報２７０を作成する。作成された活動度マップ情報２７０の一例を図６（ｂ）に示す。本図に示すように、雷情報加工部２２２は、各観測メッシュに対応する格子に、活動度を色によりマッピングする。
【００４２】
このとき、雷情報加工部２２２は、雷の中心位置を、雷の位置２７１として算出する。算出した雷の位置２７１を、活動度マップ情報２７０に重畳させてもよい。
【００４３】
ここで、雷情報加工部２２２による雷の位置２７１の算出手法を、図７を用いて説明する。
【００４４】
例えば、雷情報加工部２２２は、各時間帯の、雷の発生している中心位置を、各観測メッシュの中心位置の緯度経度および活動度を用い、以下の式（１）で加重平均を計算することにより算出する。
【００４５】
ここで、観測メッシュの数をＩ（Ｉは１以上の整数）とし、各観測メッシュは、１からＩまでの連番が付与されているものとする。各時間帯の雷の中心座標をｆ（ｘＩ、ｙＩ）で表す。なお、ｉは、１≦ｉ≦Ｉを満たす整数である。
【数１】
2019199340.tif 000003
ｘｉ：ｉ番目の観測メッシュの中心の経度（東経）
ｙｉ：ｉ番目の観測メッシュの中心の緯度（北緯）
ａｉ：ｉ番目の観測メッシュの活動度
【００４６】
具体的な算出方法を、図７を用いて説明する。図７では、観測メッシュの総数が、１００個、各観測メッシュの中心位置の範囲が、北緯３６．０１°〜３６．０９°、東経１３９．９９°〜１４０．０６°である場合を例にあげて説明する。
【００４７】
なお、本例では、活動度が１の観測メッシュは無いものとする。従って、図７に示すように、活動度が２以上の地域の中心位置の緯度、経度の、活動度による加重平均を算出する。
【００４８】
すなわち、雷の中心の緯度ｆ（ｘＩ）は、［｛活動度が２以上の全ての地域の「活動度」と「中心の緯度」の積｝の総和］を、［「活動度」の総和］で割ることで算出される。具体的には、以下の式（２）に示すように算出される。
f(xI)=[4×(140.02×1+140.03×2)
+3×(140.00×1+140.01×2+140.02×3+140.03×3+140.04×4+140.05×2)
+2×(139.99×4+140.00×3+140.01×5+140.02×2+140.03×1+140.04×2+140.05×3+140.06×1)]÷(4×3+3×15+2×21)
=13862.35÷99
=140.024 ・・・(2)
【００４９】
同様に雷の中心の経度ｆ（ｙＩ）は、［｛活動度が２以上の全ての地域の「活動度」と「中心の経度」の積｝の総和］を、［「活動度」の総和］で割ることで算出される。具体的には、以下の式（３）に示すように算出される。
f(yI)=[4×(36.05×2+36.06×1)
+3×(36.03×2+36.04×4+36.05×4+36.06×2+36.07×3)
+2×(36.02×6+36.03×3+36.04×4+36.05×1+36.06×4+36.07×2+36.08×1)]
÷(4×3+3×15+2×21)
=3568.65÷99
=36.047 ・・・(3)
【００５０】
これにより、図７の例では、雷の中心位置である雷の位置２７１は（北緯３６．０４７°、東経１４０．０２４°）と算出される。
【００５１】
以上のように、雷情報加工部２２２は、加工雷情報２５０を算出し、サーバ記憶部２３０に格納する。
【００５２】
雷情報配布部２２３は、雷情報２４０と、雷情報加工部２２２が生成した加工雷情報２５０とを、周囲情報として、各監視対象エレベータ３００に配布する。本実施形態では、雷情報加工部２２２が、新たに加工雷情報２５０を生成すると、エレベータ情報２８０を参照し、各監視対象エレベータ３００の周囲の情報を抽出し、それぞれ、提供する。
【００５３】
ここで、エレベータ情報２８０のデータ構成を説明する。図８は、本実施形態のエレベータ情報２８０のデータ構成を説明するための図である。本図に示すように、エレベータ情報２８０は、監視対象エレベータ３００を一意に特定する情報であるエレベータＩＤ２８１に、監視対象エレベータ３００の位置情報２８２が対応づけて登録される。監視対象エレベータ３００の位置情報２８２は、例えば、監視対象エレベータ３００の所在地の緯度（北緯）および経度（東経）で表される。
【００５４】
さらに、本図に示すように、各監視対象エレベータ３００の所在地を含む観測メッシュ番号（観測メッシュＮｏ）２８３がさらに対応づけられていてもよい。以下、本実施形態では、観測メッシュ番号２８３も対応づけられているものとして説明する。
【００５５】
雷情報配布部２２３は、エレベータ情報２８０にアクセスし、各監視対象エレベータ３００の配置位置の観測メッシュ番号２８３を配置メッシュとして抽出する。そして、その配置メッシュの雷情報２４０と、予め定めた加工雷情報２５０とを、周囲情報としてそれぞれの監視対象エレベータ３００に送信する。
【００５６】
例えば、図８のエレベータ情報２８０においてエレベータＩＤ２８１が「ＡＡＡ」の監視対象エレベータ３００の場合、監視対象エレベータ３００の所在地は、北緯３５．９９１°、東経１３９．９９２°である。この位置を含む観測メッシュ番号２８３は、「００７」である。
【００５７】
雷情報配布部２２３は、図９（ａ）に示す、観測メッシュ番号が「００７」の観測メッシュ情報２４０ｍである雷情報２４０ａと、図９（ｂ）に示す、地域時間帯情報２６０ａと、図９（ｃ）に示す、観測メッシュ番号「００７」を中心とした予め定めた範囲の活動度マップ情報２７０ａおよび雷の位置２７１と、を抽出し、周囲情報としてその監視対象エレベータ３００に送信する。
【００５８】
なお、ここでは、予め定めた範囲として、配置メッシュを中心とした９個の観測メッシュで構成される観測範囲の情報を送信するものとする。また、図９（ｃ）では、雷の中心位置情報である雷の位置２７１の図示は省略している。
【００５９】
監視サーバ２００のハードウェア構成を、図２（ｂ）に示す。本図に示すように、本実施形態の監視サーバ２００は、例えば、ＣＰＵ（Ｃｅｎｔｒａｌ  Ｐｒｏｃｅｓｓｉｎｇ  Ｕｎｉｔ）２９１と、ＲＡＭ（Ｒａｎｄｏｍ  Ａｃｃｅｓｓ  Ｍｅｍｏｒｙ）２９２と、記憶装置２９３と、入出力インタフェース（Ｉ／Ｆ）２９４と、通信Ｉ／Ｆ２９５と、を備える。これらは、バス２９６を介して接続される。
【００６０】
記憶装置２９３は、例えばハードディスク装置、フラッシュメモリ（ここではＳＳＤ等を含む）等の不揮発性の１つ以上の記憶装置で実現される。
【００６１】
サーバ制御部２２０の各機能は、ＣＰＵ２９１が、予め記憶装置２９３に記憶されたプログラムをＲＡＭ２９２にロードして実行することにより実現される。
【００６２】
また、サーバ記憶部２３０は、記憶装置２９３に構築される。なお、ネットワーク１１０を介して監視サーバ２００とデータの送受信可能なデータベースサーバ等の外部装置に構築されてもよい。以下、本実施形態では、便宜的に、サーバ記憶部２３０は、監視サーバ２００に搭載、或いは、直接接続された記憶装置に構築されるものとする。
【００６３】
入出力Ｉ／Ｆ２９４は、入出力デバイスとのインタフェースである。
【００６４】
通信Ｉ／Ｆ２９５は、サーバ通信部２１０による制御に従って、ネットワーク１１０を介した通信を行う。本実施形態のネットワーク１１０は、インターネットまたは、ＬＡＮ（Ｌｏｃａｌ  Ａｒｅａ  Ｎｅｔｗｏｒｋ）を含む。例えば、通信Ｉ／Ｆ２９５およびサーバ通信部２１０は、例えば、ＮＩＣ（Ｎｅｔｗｏｒｋ  Ｉｎｔｅｒｆａｃｅ  Ｃｏｎｔｒｏｌｌｅｒ）等の通信デバイスで実現される。
【００６５】
［エレベータ］
次に、エレベータ３００について説明する。
【００６６】
エレベータ３００のホール設備３３０は、図１０（ａ）に示すように、ホールボタン３３２と、ホールディスプレイ３３３とを備える。
【００６７】
ホールボタン３３２は、利用者による上昇指示および下降指示をそれぞれ受け付ける、上昇指示ボタンおよび下降指示ボタンを備える。なお、最上階は、下降指示ボタンのみ、最下階は、上昇指示ボタンのみを備える。受け付けた指示は、エレベータ制御装置３１０に送信される。
【００６８】
ホールディスプレイ３３３は、エレベータ制御装置３１０からの指示に従って、映像を表示する。なお、ホールディスプレイ３３３は、スピーカ等音声出力機能を備えていてもよい。
【００６９】
乗りかご３２０は、図１０（ｂ）に示すように、かご内行先指示ボタン３２２と、かご内ディスプレイ３２３と、を備える。
【００７０】
かご内行先指示ボタン３２２は、利用者による行先階の指示を受け付ける。受け付けた指示は、エレベータ制御装置３１０に送信される。
【００７１】
かご内ディスプレイ３２３は、エレベータ制御装置３１０からの指示に従って、映像を表示する。なお、かご内ディスプレイ３２３も、スピーカ等音声出力機能を備えていてもよい。
【００７２】
エレベータ制御装置３１０は、図１および図１０（ｃ）に示すように、エレベータ通信部３１１と、エレベータ演算部３１２と、エレベータ記憶部３１３とを備える。
【００７３】
エレベータ通信部３１１は、サーバ通信部２１０と同様に、ネットワーク１１０を介した通信を行う。
【００７４】
また、エレベータ記憶部３１３は、サーバ記憶部２３０と同様に、エレベータ制御装置３１０において、処理に用いるデータ、処理途中で得られるデータ、処理されたデータ等を格納する。図１０（ｃ）に示すように、エレベータ記憶部３１３には、周囲情報３５０と、パターン情報３６０と、注意喚起情報３７０と、が格納される。
【００７５】
エレベータ演算部３１２は、エレベータ制御装置３１０全体の制御と、ホールディスプレイ３３３およびかご内ディスプレイ３２３への出力制御を行う。ここでは、特に、監視サーバ２００から周囲情報を取得した際の周囲情報を用いた出力制御に主眼をおいて説明する。
【００７６】
エレベータ演算部３１２は、図１０（ｃ）に示すように、周囲情報受信部３４１と、行先判別部３４２と、出力要否判別部３４３と、出力制御部３４４と、を備える。
【００７７】
周囲情報受信部３４１は、所定の時間間隔で、監視サーバ２００から提供される周囲情報を、エレベータ通信部３１１を介して受信し、周囲情報３５０として、エレベータ記憶部３１３に格納する。
【００７８】
行先判別部３４２は、乗りかご３２０の行先を判別する。本実施形態では、乗りかご３２０の行先が、予め定めた基準階方向であるか否かを判別する。基準階は、例えば、建物の外部への出入口のある階とする。そして、基準階方向への走行が指示されたと判別された場合、出力要否判別部３４３に、その旨通知する。
【００７９】
本実施形態では、行先判別部３４２は、乗りかご３２０の現在の位置を監視するとともに、ホールボタン３３２およびかご内行先指示ボタン３２２による指示を受け付け、行先を判別する。
【００８０】
行先判別部３４２は、現在の乗りかご３２０の位置が、基準階でなく、かつ、かご内行先指示ボタン３２２により基準階への走行が指示された場合、行先が基準階方向であると判別する。また、基準階以外のホールにおいて、ホールボタン３３２により基準階方向への走行が指示された場合、行先が基準階方向であると判別する。
【００８１】
なお、現在の乗りかご３２０の位置の情報は、例えば、エレベータ制御装置３１０が備える運行制御部（不図示）から取得する。運行制御部は、乗りかご３２０の現在位置を、例えば、巻上機に取り付けられた回転量検出センサの出力等から算出するといった従来の手法を用いて取得する。
【００８２】
出力要否判別部３４３は、ホールディスプレイ３３３およびかご内ディスプレイ３２３への出力の要否を判別し、出力要と判別した場合、出力データを生成し、出力制御部３４４に出力させるよう指示する。
【００８３】
本実施形態では、出力要否判別部３４３は、周囲情報受信部３４１が周囲情報３５０を受け取り、エレベータ記憶部３１３に格納する毎に、周囲情報３５０に応じて、ホールディスプレイ３３３への出力の要否を判別する。
【００８４】
例えば、落雷等の自然災害発生の兆候が含まれる場合、エレベータ３００の設置される建物の周囲の交通に影響を与えるものとして、注意喚起出力が必要と判別する。
【００８５】
そして、出力要否判別部３４３は、出力要と判別された場合、行先判別部３４２の判別結果に応じて、かご内ディスプレイ３２３への出力の要否を判別する。ここでは、行先判別部３４２において、基準階方向への走行が指示されたと判別された場合、出力制御部３４４に、かご内ディスプレイ３２３からも出力させるよう指示を行う。
【００８６】
周囲情報３５０に応じて出力の要否を判断する際、出力要否判別部３４３は、パターン情報３６０に従って、周囲情報３５０のパターンを判別し、パターンに応じて、出力の要否を注意喚起情報３７０により判別する。
【００８７】
ここで、出力要否判別部３４３が、出力の要否を判別する際に用いるパターン情報３６０と、注意喚起情報３７０とを説明する。
【００８８】
パターン情報３６０は、雷の状態を、いくつかのパターンに分類したものである。本実施形態では、時間帯毎の活動度に応じて、分類する。
【００８９】
時間帯毎の活動度に応じて、雷の状態を、４つに分類した例を、図１１（ａ）に示す。パターン情報３６０には、パターンを特定する情報であるパターン３６１毎に、雷の状態３６２と、活動度による判定条件として最新の活動度情報３６３とが対応づけて、予め登録される。
【００９０】
また、注意喚起情報３７０には、パターン情報３６０のパターン３６１毎に、かご内ディスプレイ３２３およびホールディスプレイ３３３から出力すべき注意喚起内容３７２が登録される。ここで、出力が必要ない場合パターン３６１については、出力不要を意味する情報が、注意喚起内容３７２に登録される。
【００９１】
図１１（ａ）のパターン情報３６０では、パターンＰ０は、活動度情報３６３において、予測時点（０〜１０分後）の活動度および１０分後以降（１０〜６０分後）の予測した活動度がいずれも１以下の場合とする。この場合は、エレベータ３００の周辺で落雷が無く、且つ近づいてくることも無い、と判定されるため、雷の状態３６２には、「雷なし」が登録される。また、注意喚起の出力も不要であるため、注意喚起情報３７０の注意喚起内容３７２には「出力不要」が登録される。
【００９２】
パターンＰ１は、活動度情報３６３において、予測時点の活動度が１以下ではあるものの、１０分後以降の予測活動度には２以上がある場合とする。この場合は、エレベータ３００の周辺にこれから雷が近づいてくる状況である。従って、雷の状態３６２には、「雷が近付いている」が登録される。また、注意喚起内容３７２には、「雷の発生時間帯の案内と、その時間帯のエレベータ利用には気を付けること」および「現在雷が発生している方向とこれから雷が進んでいく方向に外出される方は雷に気を付けること」を意味する情報が登録される。
【００９３】
パターンＰ２は、活動度情報３６３において、予測時点の活動度が２である場合とする。この場合は、エレベータ３００の所在地を含む観測メッシュに現在雷が発生している状況である。従って、雷の状態３６２には、「雷が来ている」が登録される。また、注意喚起内容３７２には、「雷の発生時間帯と、その時間帯は落雷によってエレベータが停止する恐れがあるためエレベータの利用はなるべく控えること」および「これから雷が進んでいく方向に外出される方は雷に気を付けること」を意味する情報が登録される。
【００９４】
パターンＰ３は、活動度情報３６３において、予測時点の活動度が３以上である場合とする。この場合は、エレベータ３００の所在地を含む観測メッシュに現在激しい雷が発生している状況である。従って、雷の状態３６２には、「激しい雷が来ている」が登録される。また、注意喚起内容３７２には、「雷の発生時間帯と、落雷によってエレベータが停止する恐れがあるため万が一の時以外は極力エレベータの利用は控えること」および「これから雷が進んでいく方向に外出される方は雷に気を付けること」を意味する情報が登録される。
【００９５】
出力要否判別部３４３は、登録された周囲情報３５０の雷情報２４０ａを参照し、０−１０分後の活動度と、１０−６０分後の活動度により、該当するパターン３６１を特定する。そして、注意喚起情報３７０を参照し、特定されたパターン３６１の出力の要否を判別する。
【００９６】
そして、出力要の場合、その出力内容である注意喚起内容３７２を、注意喚起情報３７０から抽出する。そして、この注意喚起内容３７２と登録された周囲情報３５０とを用いて、出力データを生成し、出力制御部３４４に出力の指示を行う。
【００９７】
なお、本実施形態の出力要否判別部３４３は、出力要と判断された場合、周囲情報３５０を用いて、エレベータ３００の位置を基準とした、雷の方向を算出する。
【００９８】
ここで、出力要否判別部３４３による雷の方向を算出する手法を説明する。ここでは、監視サーバ２００から受信した雷の位置２７１を用いる。
【００９９】
例えば、出力要否判別部３４３は、エレベータ３００の所在地の緯度経度と、雷の位置２７１の緯度経度とを比較し、南北のいずれか、東西のいずれかを判定する。
【０１００】
まず、緯度方向について、雷の中心位置２７１が、エレベータ３００の所在地の「北」であるか、「南」であるかを判別する。雷の中心位置２７１の緯度＞エレベータ３００の所在地の緯度の場合、雷の中心位置２７１は、エレベータ３００に対して「北」に所在し、その逆の場合は「南」に所在する。
【０１０１】
また、雷の中心位置２７１が、エレベータ３００の所在地の「東」であるか「西」であるかを判別する。雷の中心位置２７１の経度＞エレベータ３００の所在地の経度の場合、雷の中心位置２７１は、エレベータ３００に対して「東」に所在し、その逆の場合は「西」に所在する。
【０１０２】
この場合、緯度方向の判別結果と、経度方向の判別結果とを組み合わせ、東方向、西方向、南方向、北方向、あるいは、その中間の、北東方向、北西方向、南東方向、南西方向のいずれかであるかを判別し、その結果を算出結果とする。
【０１０３】
さらに、図１２に示すように、エレベータ３００の所在地（緯度、経度）を中心とし、その周囲を１６等分した各方位領域で、雷の方向としてもよい。
【０１０４】
ここでは、エレベータ３００の周囲３６０°を、東西方向を中心とした２２．５°の範囲である、東領域および西領域と、南北方向を中心とした２２．５°の範囲である南領域および北領域と、その間の各２２．５°範囲の、東北東領域および西南西領域と、北東領域および南西領域と、北北東領域および南南西領域と、北北西領域および南南東領域と、北西領域および南東領域と、西北西領域および東南東領域と、の１６の方位領域に区分けする。そして、雷の位置２７１が、この１６の方位領域の、概略いずれにあるかを判別し、判別結果を雷の方向とする。
【０１０５】
具体的には、出力要否判別部３４３は、Δｘ＝（雷の中心位置２７１の経度）−（エレベータ３００の所在地の経度）と、Δｙ＝（雷の中心位置２７１の緯度−エレベータ３００の所在地の緯度）とを計算する。そして、得られた（Δｘ、Δｙ）の傾きおよびΔｘ、Δｙの正負から、上記１６の方位領域のいずれに雷の中心位置２７１が所在するかを判別する。例えば、緯度θの位置では、傾きαは、α＝ｔａｎ−１（Δｘ×ｃｏｓθ／Δｙ）で算出できる。
【０１０６】
例えば、図７の例のように、雷の位置２７１が、（北緯３６．０４７°、東経１４０．０２４°）と算出されている場合であって、エレベータ３００の所在地が（北緯３５．９９１°、東経１３９．９９２°）である場合、Δｘは、０．０３２°、Δｙは０．０５６°である。図１２に示すように、エレベータ３００に対する雷の位置２７１の方向である傾きαは、ｔａｎ−１（０．０５６／（０．０３２×０．８））で計算され、６５．４３°となる。従って、この場合、雷の中心位置２７１は、エレベータ３００に対し、東北東領域にあると判別される。
【０１０７】
各時間帯の雷の方向を算出することにより、移動方向を把握することもできる。
【０１０８】
次に、出力要否判別部３４３が、周囲情報３５０により出力要と判別した場合に生成する出力データにより表示される表示画面例を説明する。図１３は、表示画面３８０の一例である。
【０１０９】
本図に示すように、表示画面３８０は、注意喚起表示領域３８１と、雷の激しさ表示領域３８２と、雷雲の動き表示領域３８３と、を備える。
【０１１０】
注意喚起表示領域３８１には、注意喚起情報３７０の注意喚起内容３７２をメッセージ化した情報が表示される。また、雷の激しさ表示領域３８２には、周囲情報３５０として受信した雷情報のうち、地域時間帯情報２６０ａ内の発生時間帯２６４が表示される。雷雲の動き表示領域３８３には、活動度マップ情報２７０ａが表示される。表示画面３８０の一例には、雷雲の動き表示領域３８３の表示内容に雷の位置２７１（不図示）を図示してもよい。
【０１１１】
なお、雷雲の動き表示領域３８３には、活動度マップ情報２７０ａの各マップを、時間帯の順番に従って、所定の時間間隔、例えば、３秒ごとに表示してもよい。これにより、雷の動きを視覚的に表示できる。
【０１１２】
出力制御部３４４は、出力要否判別部３４３からの指示に従って、かご内ディスプレイ３２３およびホールディスプレイ３３３から表示または音声案内を行う。
【０１１３】
エレベータ制御装置３１０は、監視サーバ２００と同様のハードウェア構成を有する。そして、エレベータ演算部３１２の各機能は、ＣＰＵ２９１が、予め記憶装置２９３等に記憶されたプログラムを、ＲＡＭ２９２に展開して実行することにより、実現される。また、サーバ記憶部２３０は、記憶装置２９３に構築される。
【０１１４】
［周囲環境情報提供処理］
次に、監視サーバ２００およびエレベータ制御装置３１０によるエレベータの周囲環境情報提供処理の流れを説明する。図１４は、本実施形態のエレベータの周囲環境情報提供処理の処理フローである。なお、ここでは、監視対象エレベータ３００が１つの場合を例にあげて説明する。
【０１１５】
監視サーバ２００において、雷情報取得部２２１は、所定の時間間隔で、Ｗｅｂサーバ４００から雷情報２４０を取得する（ステップＳ１１０１）。
【０１１６】
そして、雷情報２４０を取得する毎に、サーバ記憶部２３０に記憶する。そして、雷情報取得部２２１が雷情報２４０をサーバ記憶部２３０に記憶すると、雷情報加工部２２２は、雷情報２４０を加工し、地域時間帯情報２６０、活動度マップ情報２７０および雷の位置２７１を含む加工雷情報２５０を生成する（ステップＳ１１０２）。
【０１１７】
雷情報配布部２２３は、加工雷情報２５０が生成されると、エレベータ情報２８０を参照し、監視対象エレベータ３００毎に送信する周囲情報３５０をサーバ記憶部２３０から抽出し（ステップＳ１１０３）、各監視対象エレベータ３００に送信する（ステップＳ１１０４）。
【０１１８】
エレベータ制御装置３１０の周囲情報受信部３４１は、周囲情報を受信すると（ステップＳ１２０１）、エレベータ記憶部３１３に格納する（ステップＳ１２０１）。
【０１１９】
出力要否判別部３４３は、エレベータ記憶部３１３に新たな周囲情報３５０が格納されると、まず、かご内ディスプレイ３２３およびホールディスプレイ３３３の、現在の表示内容をリセットする（ステップＳ１２０２）。
【０１２０】
次に、新たに登録された周囲情報３５０が、パターンＰ０であるか否かを判別する（ステップＳ１２０３）。出力要否判別部３４３は、周囲情報３５０中の雷情報２４０ａを参照し、０−１０分後の活動度と、１０−７０分後の活動度とにより、いずれのパターン３６１であるかを判別する。
【０１２１】
パターン３６１が、Ｐ０の場合、出力させる必要がないため、処理を終了し、ステップＳ１２０１へ戻り、周囲情報の受信を待つ。
【０１２２】
一方、パターン３６１が、Ｐ０以外、すなわち、Ｐ１〜Ｐ３のいずれかである場合、ホールディスプレイ３３３に出力させる出力データを生成する（ステップＳ１２０４）。ここでは、注意喚起情報３７０から、特定されたパターン３６１に対応付られた注意喚起内容３７２を抽出し、それを用いて表示画面３８０や、出力音声データ等を生成する。
【０１２３】
そして、出力制御部３４４に、全てのホールの、ホールディスプレイ３３３から出力させる（ステップＳ１２０５）。
【０１２４】
次に、行先判別部３４２の判別結果を参照し、基準階方向の行先が登録されたか否かを判別する（ステップＳ１２０６）。
【０１２５】
基準階方向の行先が登録されている場合、出力要否判別部３４３は、出力制御部３４４に、かご内ディスプレイ３２３から出力させ（ステップＳ１２０７）、処理を終了し、ステップＳ１２０１へ戻り、周囲情報の受信を待つ。
【０１２６】
一方、ステップＳ１２０６で、基準階方向の行先が登録されていない場合、そのまま処理を終了し、ステップＳ１２０１へ戻り、周囲情報の受信を待つ。
【０１２７】
以上説明したように、本実施形態では、上述のように、Ｗｅｂサーバ４００から雷情報２４０を取得し、監視対象のエレベータ３００毎に、当該エレベータ３００が設置されている建物の周囲の雷情報２４０を、周囲情報３５０として抽出して当該エレベータ３００に送信する監視サーバ２００と、周囲情報３５０が前記建物の交通に影響を与え、かつ、エレベータ３００において予め定めた基準階方向への走行の指示を受け付けた場合、当該周囲情報３５０および注意喚起情報をのりかご３２０内のかご内ディスプレイ３２３に出力するエレベータ制御装置と、を備える。
【０１２８】
このように、本実施形態によれば、建物の外部への出入口のある階である基準階へ行こうとしているエレベータ３００の利用者に対し、雷発生状況や雷の移動方向などの情報を案内できる。このため、エレベータ３００の利用者にとって、有効な情報を提供できる。例えば、この情報を得ることにより、エレベータ３００利用者は、不要不急の外出を回避できる。さらに、エレベータ３００の使用そのものを回避させる動機付けとなるため、雷によって利用者がエレベータへ閉じ込められることも低減できる。
【０１２９】
すなわち、本実施形態によれば、エレベータ３００周囲の環境情報である雷情報が有効に活用され、利用者の利便性が高まる。
【０１３０】
注意喚起情報に、万が一エレベータ３００利用時にエレベータが停止した時の連絡先、外出時の雷に対する備え等の情報を含めることにより、さらに利便性が高まる。
【０１３１】
また、雷の激しさに応じた案内を行うことにより、例えば、雷の発達、接近、通過に伴って、個々のエレベータ３００において、雷が発生する時間帯、雷が来る方向および移動していく方向を把握することができる。
【０１３２】
また、基準階方向への走行を指示したホール（乗り場）の、ホールディスプレイ３３３にも表示させることにより、エレベータ３００を利用する前の、より早い段階で、利用者に情報を提供できる。これにより、雷による閉じ込めをより低減できるとともに、利用者の利便性がより高くなる。
【０１３３】
なお、上記実施形態では、周囲情報３５０の内容が出力要の場合、全てのホールディスプレイ３３３から出力させているが、これに限定されない。例えば、ホールボタン３３２により、基準階方向への走行の指示がなされた場合のみ、ホールディスプレイ３３３に出力させるよう構成してもよい。また、基準階方向への走行の指示がなされたホールの、ホールディスプレイ３３３にのみ出力させるよう構成してもよい。これにより、ホールディスプレイ３３３の出力を必要十分なものに抑えることができる。
【０１３４】
この場合、上記出力要否判別処理において、基準階方向の登録の有無を判別後、出力データを生成し、予め定めた基準に従って、ホールディスプレイ３３３にも表示させる。
【０１３５】
なお、雷情報の取得、加工、選択配信は、監視サーバ２００およびエレベータ３００のいずれで行ってもよい。
【０１３６】
例えば、上記実施形態では、雷の位置２７１の算出を監視サーバ２００で行っているが、各エレベータ３００において、周囲情報３５０を用いて算出してもよい。例えば、監視サーバ２００が取得した環境情報において、離散した複数の箇所で雷雲が発生している場合、各エレベータ３００において、その周囲の雷の位置を算出する方が効率的である。
【０１３７】
また、例えば、監視サーバ２００において、周囲情報３５０の内容を判別し、表示が必要な周囲情報３５０がある場合のみ、エレベータ３００に送信するよう構成してもよい。これにより、監視サーバ２００と、各エレベータ３００との間での通信量を低減できる。
【０１３８】
この場合、監視サーバ２００側に例えば、パターン情報３６０を保持し、監視サーバ２００側で、周囲情報３５０のパターンがＰ０であるか否かを判別する。そして、Ｐ０以外の場合のみ、送信する。
【０１３９】
また、監視サーバ２００側で取得した全ての範囲の雷情報２４０と加工雷情報２５０とを、各エレベータ３００に送信し、エレベータ３００において、自身の周囲の雷情報である周囲情報３５０を抽出してもよい。これにより、監視サーバ２００における処理負担を低減できる。
【０１４０】
また、監視サーバ２００側で取得した全ての範囲の雷情報２４０を各エレベータ３００に送信し、エレベータ３００側で加工雷情報２５０の生成を行い、必要な周囲情報３５０を抽出するよう構成してもよい。
【０１４１】
さらに、各エレベータ３００において、Ｗｅｂサーバ４００から、所定の時間間隔で雷情報を取得し、加工を行い、周囲情報３５０を抽出してもよい。これにより、監視サーバ２００における処理負担を低減でき、かつ、監視サーバ２００とエレベータ３００との間の通信量も低減できる。
【０１４２】
また、上記実施形態では、エレベータ３００が設置される建物の周囲の交通状況に影響を与える場合のみ、かご内ディスプレイ３２３およびホールディスプレイ３３３に周囲情報を表示させている。しかしながら、状況によらず、新たな周囲情報３５０を受信する毎に、雷情報２４０および加工雷情報２５０を表示させるよう構成してもよい。
【０１４３】
また、雷情報を加工するにあたり、エレベータ３００の所在地（緯度、経度）に数学的な処理を施し、所在地を、雷の活動度を予測する中心位置（緯度、経度）に加工してもよい。これにより、活動度を予測している格子内にあるエレベータの台数やその仕様を把握でき、その格子内のエレベータの、仕様や建物の違いによる、落雷やそれに伴う故障頻度の評価・分析を行うことができる。
【０１４４】
また、上記実施形態では、環境情報が気象情報のうち、雷情報である場合を例にあげて説明した。しかしながら、環境情報は、これに限定されない。例えば、雨（降水量）、台風、雪等の気象情報であってもよい。さらには、交通情報であってもよい。
【０１４５】
交通情報の場合、例えば、各路線や道路の渋滞情報、事故情報等とする。この場合、監視サーバ２００は、Ｗｅｂサーバ４００から定期的に交通情報を取得し、エレベータ３００毎に関連する路線および道路の渋滞情報、事故情報等を提供する。エレベータ情報２８０に、エレベータ３００毎の提供する路線、道路を予め登録しておく。
【０１４６】
また、環境情報の加工処理は、上記処理に限定されない。各環境情報に応じて、最適な加工処理を選択する。また、雷情報であっても、上記以外の加工をおこなってもよい。
【０１４７】
さらに、各エレベータ３００に提供する情報は、複数種であってもよい。例えば、雷情報および交通情報、雷情報、台風情報および降水量等の組み合わせであってもよい。
【０１４８】
また、エレベータ制御装置３１０は、入力操作手段を備え、利用者がパターン情報３６０および／または注意喚起情報３７０を設定、変更可能なように構成してもよい。これにより、各エレベータ３００の所在地の特性にあった設定、それに伴う注意喚起が可能となる。
【符号の説明】
【０１４９】
１００：周囲環境情報提供システム、１１０：ネットワーク、
２００：監視サーバ、２１０：サーバ通信部、２２０：サーバ制御部、２２１：雷情報取得部、２２２：雷情報加工部、２２３：雷情報配布部、２３０：サーバ記憶部、
２４０：雷情報、２４０ａ：雷情報、２４０ｍ：観測メッシュ情報、２４１：予測日時、２４２：観測メッシュの中心位置情報、２４３：活動度、２４４：観測メッシュ番号、２５０：加工雷情報、２６０：地域時間帯情報、２６０ａ：地域時間帯情報、２６１：観測メッシュ番号、２６２：北緯、２６３：東経、２６４：発生時間帯、２７０：活動度マップ情報、２７０ａ：活動度マップ情報、２７１：中心位置、２８０：エレベータ情報、２８１：エレベータＩＤ、２８２：位置情報、２８３：観測メッシュ番号、２９１：ＣＰＵ、２９２：ＲＡＭ、２９３：記憶装置、２９４：入出力Ｉ／Ｆ、２９５：通信Ｉ／Ｆ、２９６：バス、
３００：エレベータ、３１０：エレベータ制御装置、３１１：エレベータ通信部、３１２：エレベータ演算部、３１３：エレベータ記憶部、３２０：乗りかご、３２２：かご内行先指示ボタン、３２３：かご内ディスプレイ、３３０：ホール設備、３３２：ホールボタン、３３３：ホールディスプレイ、３４１：周囲情報受信部、３４２：行先判別部、３４３：出力要否判別部、３４４：出力制御部、
３５０：周囲情報、３６０：パターン情報、３６１：パターン、３６２：状態、３６３：活動度情報、３７０：注意喚起情報、３７２：注意喚起内容、３８０：表示画面、３８１：注意喚起表示領域、３８２：雷の激しさ表示領域、３８３：雷雲の動き表示領域、
４００：Ｗｅｂサーバ
【図１】
2019199340.tif 000004
【図２】
2019199340.tif 000005
【図３】
2019199340.tif 000006
【図４】
2019199340.tif 000007
【図５】
2019199340.tif 000008
【図６】
2019199340.tif 000009
【図７】
2019199340.tif 000010
【図８】
2019199340.tif 000011
【図９】
2019199340.tif 000012
【図１０】
2019199340.tif 000013
【図１１】
2019199340.tif 000014
【図１２】
2019199340.tif 000015
【図１３】
2019199340.tif 000016
【図１４】
2019199340.tif 000017